(57)【要約】      （修正有）【課題】適切なメンテナンス対応を図る上で、管理者側でユーザ側の設備機器の状態を正確に把握し、メンテナンスの要否判定も主導的に行ない、ユーザ側への能動的な保守対応を実現するための調光フィルムの使用状態管理システムを提供する。【解決手段】使用状態管理システムにおいて、予めＩＤが付与された調光フィルム、状態検出手段、環境検出手段、および制御部を有する調光システムを管理対象とし、調光システムとネットワークサービスを介して通信可能に接続され、ＩＤを用いて調光システムを統合的に管理する管理サーバでは、ＩＤごとに調光フィルムの情報を保有するデータベースと、調光フィルムの状態を予測する予測システムと、を有し、予測システムの予測結果に基づき、各調光システムの状態を管理する。【選択図】図１
2020035301.tif 000002
【特許請求の範囲】
【請求項１】
印加電圧に応じて少なくともヘイズを２段階以上に変調可能な調光層を具備する調光フィルムの使用状態管理システムであって、
予めＩＤが付与された調光フィルム、状態検出手段、環境検出手段、および制御部を有する調光システムと、
前記調光システムとネットワークサービスを介して通信可能に接続され、前記ＩＤを用いて前記調光システムを統合的に管理する管理サーバと、
前記管理サーバに接続され、前記ＩＤごとに調光フィルムの情報を保有するデータベースと、
前記管理サーバおよび前記データベースに接続され、前記調光フィルムの状態を予測する予測システムと、を有し、
前記管理サーバは、前記予測システムの予測結果に基づき、各調光システムの状態を管理する、
調光フィルムの使用状態管理システム。
【請求項２】
前記制御部は、前記状態検出手段および前記環境検出手段による検出結果に基づき前記調光フィルムの実使用データを生成し、前記管理サーバに送信する請求項１に記載の調光フィルムの使用状態管理システム。
【請求項３】
前記予測システムは、少なくとも前記調光フィルムに関する初期登録情報および前記実使用データに基づき演算を行い、前記調光フィルムの状態を予測する請求項１または請求項２に記載の調光フィルムの使用状態管理システム。
【請求項４】
研究又は開発時に得られる調光フィルムに関するデータを保有する開発サーバをさらに有し、
前記予測システムは、前記開発サーバが保有する前記データも活用して前記調光フィルムの状態を予測する請求項１から請求項３のいずれか１項に記載の調光フィルムの使用状態管理システム。
【請求項５】
前記状態検出手段は、調光フィルムの表裏対向箇所または同一表面上での近接箇所に設置される照射光源および光検出器を少なくとも有しており、照射光源からの照射光による調光フィルムの透過光または反射光を光検出器にて受光し、調光フィルムのヘイズの変化を透過率または反射率の形で検出する構成である請求項１から請求項４のいずれか１項に記載の調光フィルムの使用状態管理システム。
【請求項６】
前記環境検出手段は、温度と湿度の少なくとも一方を検出する請求項１から請求項５のいずれか１項に記載の調光フィルムの使用状態管理システム。
【請求項７】
管理サーバはネットワークサービスを介して受信する各調光システムの実使用データをデータベースに格納すると共に、前記データに基づき各調光システムの調光フィルムの状態を分析し、分析結果をＰＣ，携帯端末などのカスタマーサービスセンターのスタッフが使用する機器に伝送する請求項１から請求項６のいずれか１項に記載の調光フィルムの使用状態管理システム。
【発明の詳細な説明】
【技術分野】
【０００１】
本発明は、電気的制御によって光の透過状態を制御する光学素子を備えた調光フィルムの使用状態管理システムに関する。
【背景技術】
【０００２】
不透明状態（あるいは白濁状態）と透明状態とを切り替える調光フィルムは様々な用途で用いられている。調光フィルムは、透明電極が形成された一対の透明基材と、該透明電極により挟持された調光層とを有する。調光層には、液晶素子，エレクトロクロミック材料，懸濁粒子（SPD：Suspended Particle Device）から選択される光学材料が採用される。調光フィルムは、一対の透明電極間に挟持された調光層を備える。調光フィルムは、電極に印加する電圧により調光層を駆動させ、入射した光を散乱する不透明状態と、入射した光を透過する透明状態とを切り替え可能に構成されている（例えば、特許文献１参照）。
【０００３】
調光フィルムは、例えばガラス等の透明基材に固定されることにより、建造物用途での窓ガラスや展示ウィンドウ、間仕切りなどに採用することが可能となる。この外にも、調光フィルムは、自動車のサンルーフやサンバイザー用途、または電車，航空機，船舶向けのウィンドウとしての利用も提案されている。
【０００４】
調光フィルムは、上記のように多種多様な用途が提案、要望され、早くも施工されて実用化されているものもある。しかしその一方で、耐候性や長寿命化等といった観点からの品質向上や品質改善のため現在鋭意研究開発されている状態にある。つまり、現状施工される調光フィルムはこまめなメンテナンスが必須となっている。
【０００５】
ここで、メンテナンスは、調光フィルムの使用環境や使用条件等によって大きく変化する。これは、調光層に用いられる材料、例えば液晶が温度や湿度等の使用環境に対する大きな依存性を有するからである。従って、従来動作保証と称してユーザの求めに応じた受動的なメンテナンス対応や一定期間経過後の定期的メンテナンスや一律交換を行うことが通常とされていた。
【０００６】
ここで、上記メンテナンスや一律交換は、調光フィルムの実際の劣化度合いや状態変化とは無関係に行われる。従って、効率の悪さや無駄な処理であることは否めなかった。
【先行技術文献】
【特許文献】
【０００７】
【特許文献１】特開２０１４−１４６０５１号公報
【発明の概要】
【発明が解決しようとする課題】
【０００８】
本発明は、上述した問題点に鑑みてなされたもので、その目的は、調光フィルムの劣化度合いや状態変化に応じた適切なメンテナンス対応を採ることができる使用状態管理システムを提供することを目的とする。
【課題を解決するための手段】
【０００９】
本発明による調光フィルムの使用状態管理システムは、
印加電圧に応じて少なくともヘイズを２段階以上に変調可能な調光層を具備する調光フィルムの使用状態管理システムであって、
予めＩＤが付与された調光フィルム、状態検出手段、環境検出手段、および制御部を有する調光システムと、
調光システムとネットワークサービスを介して通信可能に接続され、前記ＩＤを用いて前記調光システムを統合的に管理する管理サーバと、
管理サーバに接続され、ＩＤごとに調光フィルムの情報を保有するデータベースと、
管理サーバおよびデータベースに接続され、調光フィルムの状態を予測する予測システムと、を有し、
管理サーバは、予測システムの予測結果に基づき、各調光システムの状態を管理することを特徴とする。
【００１０】
制御部は、状態検出手段および環境検出手段による検出結果に基づき調光フィルムの実使用データを生成し、管理サーバに送信する。
【００１１】
予測システムは、少なくとも調光フィルムに関する初期登録情報および実使用データに基づき演算を行い、調光フィルムの状態を予測する。
【００１２】
研究又は開発時に得られる調光フィルムに関するデータを保有する開発サーバをさらに有し、予測システムは、開発サーバが保有するデータも活用して調光フィルムの状態を予測するようにしても良い。
【００１３】
使用環境の照度に応じて調光システム（フィルム）のヘイズが変調して視覚される状態を実測データとして検出する状態検出手段は、調光フィルムの表裏対向箇所または同一表面上での近接箇所に設置される照射光源および光検出器を少なくとも有しており、照射光源からの照射光による調光フィルムの透過光または反射光を光検出器にて受光し、調光フィルムのヘイズの変化を透過率または反射率の形で検出する構成が好適である。ヘイズデータの検出は、検査光の光学的検出による手法が汎用的であり、照射光源および光検出器としては、ＬＥＤおよびフォトダイオードの採用が好適である。検出動作は、電源オン時、あるいは、照度の変調が感じられた際、または、調光システム（フィルム）に対する外部からの指示受け時などに実行される。
【００１４】
環境検出手段は、温度と湿度の少なくとも一方を検出することが好適であり、使用環境のデータと調光システム（フィルム）の動作状態のデータが紐付けられて管理サーバのデータベースに記憶される。
【００１５】
管理サーバは、ネットワークサービスを介して受信する各調光システムの実使用データをデータベースに格納すると共に、データに基づき各調光システムの調光フィルムの状態を分析し、分析結果をＰＣ，携帯端末などのカスタマーサービスセンターのスタッフが使用する機器に伝送する。
【発明の効果】
【００１６】
本発明の使用状態管理システムにより、管理者側でのユーザ側の設備機器の状態の正確な把握，主導的なメンテナンスの要否判定，ユーザ側への能動的な保守対応の提案などが可能となり、使用者側の負荷が一層軽減され、適切なメンテナンス対応が実現される。
【図面の簡単な説明】
【００１７】
【図１】本発明の実施形態の使用状態管理システムの概略構成を示す説明図である。
【図２】実施形態の使用状態管理システムの管理サーバが有するデータテーブルを示す図である。
【図３】実施形態のデータベースの階層構造を示す図である。
【図４】実施形態のデータベースに記録される実使用データ群の一例を示す図である。
【図５】実施形態の制御部が実行する処理を示すフローチャートである。
【図６】実施形態の管理サーバが実行する処理を示すフローチャートである。
【発明を実施するための形態】
【００１８】
以下、本発明の実施形態について図面を参照しつつ説明する。本発明は以下の図示や説明によって限定されるものではない。図１は本発明の実施形態の使用状態管理システム１００の概略構成を示す説明図である。
【００１９】
使用状態管理システム１００は、調光システムＰ１、Ｐ２、ネットワーク１０１、管理サーバ１０３、データベース１０５、ＰＣ１０７、携帯端末１０９、予測システム１１１、開発サーバ１１３を有する。調光システムＰ１、Ｐ２は、インターネット等のネットワークを介して管理サーバ１０３に接続される。管理サーバ１０３は、データベース１０５、ＰＣ１０７に接続されている。携帯端末１０９は、ＰＣ１０７や開発サーバに接続されている。
【００２０】
調光システムＰ１は、機能性窓ガラス１０，３０と制御部１２を有する。機能性窓ガラス１０は、窓ガラス等の透明基材（不図示）に貼付施工された調光フィルム１１、ＬＥＤ１３、フォトダイオード等の光検出器１４、環境センサ１６を有する。機能性窓ガラス３０も同様である。つまり、調光システムＰ１は、調光フィルムを有する同一構成の機能性窓ガラス２枚を単一の制御部１２によって駆動制御している。環境センサとは、調光フィルム周辺の温度や湿度等に例示される使用環境を検知する各種センサをいう。調光システムＰ２は、Ｐ１の変形例となる構成を有する。具体的には調光システムＰ２は、機能性窓ガラス２０と制御部２２を有する。機能性窓ガラス２０は、窓ガラス等の透明基材に貼付施工された調光フィルム２１、ＬＥＤ２３、フォトダイオード等の光検出器２４、ミラー２５、環境センサ３６を有する。
【００２１】
各調光フィルム１１、２１、３１は、印加電圧に応じてヘイズ，明暗，色相の少なくとも何れかを２段階以上に変調可能な調光層を具備する。調光フィルム１１、２１、３１の調光層に含まれる材料は、液晶素子，エレクトロクロミック材料，懸濁粒子（SPD：Suspended Particle Device）等から適宜選択されうる。本実施形態の液晶素子は、高分子分散型液晶（ＰＤＬＣ：Polymer  Dispersed  Liquid  Crystal）またはポリマーネットワーク型液晶（ＰＮＬＣ：Polymer  Network  Liquid  Crystal）を想定する。前者は、液晶分子がポリマー中に分散配置された高分子分散型液晶または三次元の網目状に形成された樹脂からなる。後者は、ポリマーネットワークの内部に形成された空隙内に配置された液晶分子を有する。
【００２２】
例えば、ＰＮＬＣを有する調光層を具備する調光フィルムは、液晶と光重合性化合物（モノマー）との混合物を一対の透明電極基板（透明導電膜の形成された透明基板）の間に挟み、一定の条件下で紫外線を照射し、光重合によって光重合性化合物が高分子に変化すると共に、光重合および架橋結合により、微細なドメイン（高分子の空隙）を無数に有するポリマーネットワークが液晶中に形成されることで製造される。ＰＮＬＣの駆動では、ポリマーネットワークの構造上の特性（ドメインの大きさや形状，ポリマーネットワークの膜厚など）に依存して駆動電圧が決定され、ＯＮ／ＯＦＦに応じて液晶分子配向に基づく透明／光散乱の状態（ヘイズ）が変化する。透明電極基板の透明導電膜上に液晶分子の配向膜を配置することにより、光散乱（白濁）系から電圧を印加（ＯＮ）にすることで透明状態へ変化するノーマルモード方式に加えて、電圧の印加で透明から白濁系へと状態が変化するリバースモード方式にも適用可能である。
【００２３】
調光システムＰ１について説明を加える。制御部１２は図示しない電源部にも接続されている。制御部１２は、ユーザの操作に応じて電源部を駆動し、調光フィルム１１等に所
定の電圧を印加する。ＬＥＤ１３、３３は、それぞれ後述する所定のタイミングで調光フィルム１１、３１を介して対向配置される光検出器１４、３４に対して投光する。光検出器１４、３４は、ＬＥＤ１３、３３から照射される光を受光し、光量に応じた信号を制御部１２に送信する。
【００２４】
調光システムＰ２における機能性窓ガラス２０は、ＬＥＤや光検出器等からなる検出手段の構成が他の機能性窓ガラス１０、３０とは異なる。すなわち、機能性窓ガラス２０では、ＬＥＤ２３と光検出器２４とがミラー２５の法線に対して互いに傾きかつ線対称な関係にある。（機能性窓ガラス１０，３０の様に、ＬＥＤ光の透過光を検出する上での調光フィルムの表裏対向箇所での配置ではなく、ＬＥＤ光の反射光を検出する上で、調光フィルムの同一側表面上での近接箇所に配置されている。）ＬＥＤ２３から照射された光は、調光フィルム２１を介してミラー２５で反射し、光検出器２４により受光される。受光結果は制御部２２に送信される。調光フィルムのヘイズの変化を反射率の形で検出する意義としては、屋内向けでなく電車，航空機，船舶向けのウィンドウに調光フィルムを適用する用途では、苛酷な屋外環境にＬＥＤまたはフォトダイオードを設置せずに駆動状態を検出する上での有効性にある。
【００２５】
各機能性窓ガラス１０、３０、２０はそれぞれ環境センサ１６，２６，３６が設置される。環境センサ１６、２６、３６は、少なくとも温度および湿度が検出される。これらの環境情報も制御部１２、２２に送信される。
【００２６】
各制御部１２、２２は、有線または無線によりインターネット等のネットワークサービス１０１を介して管理サーバ１０３に接続される。各制御部１２、２２は既述の電流信号のレベルと環境情報を管理サーバ１０３に送信する。以下の説明では、各制御部１２、２２から管理サーバ１０３に送信される諸データを総称して実使用データと記す。本実施形態では、当該接続により、各制御部１２、２２は管理サーバ１０３と双方向通信が可能となる。なお、本実施形態の使用状態管理システム１００で行われる通信は基本的には暗号化された状態で行われる。
【００２７】
管理サーバ１０３はネットワークサービス１０１を介して受信する各調光システムＰ１、Ｐ２の実使用データをデータベース１０５に格納するとともに、当該諸情報に基づき調光フィルムの状態を分析する。分析結果はＰＣ１０７や携帯端末１０９といったカスタマーサービスセンターのスタッフが使用する機器に伝送される。各スタッフは、ＰＣ１０７や携帯端末１０９等を用いて分析結果に基づき、施工済みの調光フィルムに対する管理、保守等のメンテナンスサービスを実行する。
【００２８】
図２は管理サーバ１０３に記録されるデータテーブルを示す図である。図２に示すように、管理サーバ１０３に登録、管理される各調光システムＰ１，Ｐ２は、それぞれのＩＤ、ロット、所在地、設置状況、サイズ、リンクＩＤ、備考に関する初期に登録される諸情報が相互に関連付けられた状態でテーブルとして保存されている。ここで、ＩＤは、各調光フィルムに対して付与された固有の識別番号データをいう。ロットは、各調光フィルムの製造ロットナンバデータをいう。所在地は、各調光フィルムが貼付施工された場所データをいう。設置状況は、各調光フィルムがどこにどのように設置されているかという現況データをいう。サイズは、各調光フィルムのサイズデータをいう。リンクＩＤとは、例えば同じ部屋に並設されている等設置条件が近似していたり、同一の調光システムに組み込まれたりしている調光フィルム同士を関連付けるデータをいう。本実施形態では図１に示すように、調光システムＰ１には２枚の調光フィルム１１、３１が搭載されている。ここで、調光フィルム１１のＩＤを「０００１」、調光フィルム３１のＩＤを「０００３」であるとすると、図２に示すように「０００１」と「０００３」の各ＩＤは相互にリンクＩＤとして登録される。備考は、設置状況や特殊サイズといった通常の規格や仕様、使用条件とは異なる条件に関するデータをいう。本実施形態では、例えば、調光システムＰ２が車両に搭載されているものと想定する。調光システムＰ２に用いられる調光フィルム２１のＩＤが「０００２」であるとする。また、上記車両は寒冷地仕様になっていると想定する。そのため、図２に示すようにＩＤ０００２のレコードには、備考データとして「寒冷地仕様車」が記録されている。
【００２９】
管理サーバ１０３は、各制御部１２、２２から送信された各調光システムＰ１，Ｐ２に関する実使用データが真正なものであるか判定した後、当該データをデータベース１０５に格納する。図３は、データベース１０５の階層構造の一部を示す図である。図３に示すように、データベースはＩＤごとに最上位階層が割り振られている。そして各ＩＤフォルダの直下には年、月といった順に下位のフォルダが形成されている。データベース１０５では、ＩＤおよび送信日付を参照して該当するフォルダに実使用データを格納している。図４にＩＤ０００１に関する実使用データ群の一例を示す。
【００３０】
データベース１０５は機密性が担保された社内ＬＡＮ等を介して予測システム１１１に接続されている。予測システム１１１は、開発サーバ１１３に上記社内ＬＡＮ等を介して接続されている。開発サーバ１１３は、要素研究や開発段階で得られた各種データ、例えばＳＷＯＭ等の耐候性試験結果等を各ロットや試作品ごとに蓄積している。
【００３１】
予測システム１１１について説明を加える。予測システム１１１は、自律性判断プログラム、本実施形態ではＡＩが搭載されている。予測システムを管理する者は、ＡＩに種々の条件下得られたサンプルの検証結果や、シミュレーション結果、そしてその結果と因果関係を有する調光システムの異常発生ケース等を事前学習させておく。予測システムサーバはこれら事前学習結果をベースとしつつ、実際にデータベース１０５に蓄積される各調光システム使用時の実データ（つまりサンプル検証ではなく実使用に基づき得られたより複雑な条件が影響する情報）および都度更新される開発サーバ１１３の情報を引用し、現在使用中の各調光システムの状態を演算により求め、異常を予測する。
【００３２】
図５は各制御部１２、２２の処理を示すフローチャートである。図５に示すように、各制御部１２、２２は、電源がオンされた時（Ｓ１）、管理サーバ１０３から定期的に発信される指示（Ｓ３）、管理サーバ１０３から不定期に発信され他の処理に優先する指示（Ｓ５）を検知すると、光検出処理を実行する（Ｓ７）。このように、ヘイズデータの検出は、電源オン時、あるいは、照度の変調が感じられた際、または、調光システムに対する外部からの指示を受けた時などに実行される。
【００３３】
Ｓ７に示す光検出処理を、機能性窓ガラス１０を例にとり説明する。制御部１２は、上記の各指示（Ｓ１〜Ｓ５）を受信すると、ＬＥＤ１３を発光させる。ＬＥＤから照射された光は、光検出器１４により受光される。光検出器１４は検出した光の光量に応じた電流信号を発生させ、制御部１２に送信する。ヘイズデータの検出に用いられる検査光はＬＥＤ光に限定されるものではないが、検出精度や取り扱い性などの各種優位性があり、ＬＥＤの採用が最も好適となっている。
【００３４】
上記受発光処理と同時に制御部１２は、環境センサ１６を駆動させ、現時点での温度及び湿度を検出する。そして制御部１２は、検出した各データにタイムスタンプかつ自己のＩＤを付し実使用データを生成する（Ｓ９）。制御部１２は、生成した実使用データを、ネットワーク１０１を介して管理サーバ１０３に送信する（Ｓ１１）。
【００３５】
このように各制御部１２、２２は、所定のタイミングで夫々に接続される各種センサ等を駆動、制御しリアルタイムでの調光フィルムの状態を検出する。しかもそのタイミングは、フィルム全体に一番負荷がかかりやすい電源操作時、経時変化を意識した定期的な指
示を受信した時、そして管理サーバ１０３側でなんらかの異常を認識した際に発信される強制指示を受信した時と種々のパタンを想定している。従って、より精度の高い状態管理を実現する実使用データが収集されることになる。
【００３６】
図６は、管理サーバ１０３が行う処理を示すフローチャートである。図６に示すように、管理サーバ１０３は、各制御部１２、２２から実使用データを受信するまで待機状態にある（Ｓ３１：ＮＯ）。各制御部１２、２２から実使用データを受信すると（Ｓ３１：ＹＥＳ）、管理サーバ１０３は、自らが保有するデータテーブルを参照しつつ実使用データのＩＤを認証する（Ｓ３３）。ここで、データテーブルに登録されていない等の想定外のＩＤであった場合には安全性の観点からノイズとして処理し、データベースへの保存は行わない。
【００３７】
Ｓ３３においてＩＤ認証が正しくなされると、次いで管理サーバ１０３は、実使用データをデータベース１０５に書き込む処理を行う（Ｓ３５）。この際、管理サーバ１０３は、実使用データに付されたタイムスタンプを読み取り、データベース１０５において図２に示す階層のうち適切なフォルダに格納する。
【００３８】
次いで管理サーバ１０３は、データの検証処理を実行する（Ｓ３７）。なお、本実施形態ではデータの書き込み後にデータ検証処理を実行する態様を示したが、逆のステップを踏んでも構わない。データ検証は、以下のようにして行う。すなわち、管理サーバ１０３は、図２に示すＩＤに紐付けられた各種情報と実使用データを予測システム１１１に送信し、調光フィルムの現状および将来予測を行わせる。
【００３９】
基本的には、もし電流信号レベルが初期設定範囲内である場合、調光フィルムの透明時（または非透明時）における透明度合い（または非透明度合い）が所定の仕様範囲内である。もし電流信号レベルが初期設定範囲外である場合、上記度合いが所定の使用範囲外である、換言すれば現実的に調光フィルムになんらかの異常が発生していると判断される。ここで透明度合いとは本実施形態ではヘイズ又は像鮮明度（クラリティ）を想定する。
【００４０】
但し、現実には信号レベルが極端に範囲外の値を示している場合は、調光システムを使用する各ユーザが視覚的、感覚的に何らかの異常を認識することができる。本実施形態の状態管理システムでは上記のような現実的な事象のみならず、将来発生しうる異常な事象を予測システム１１１が予測する。
【００４１】
具体的には、予測システム１１１は、開発サーバから得られたＳＷＯＭ試験結果等に基づき、実使用データ中の環境情報、および図２に示すデータテーブル、そして電流レベルの経時変化を総合的に判断する。例えば、調光フィルムの要となる液晶は一般に水分に耐性が低いという特性を持つ。従って、同一電流信号レベル変化であっても、調光フィルムの所在地が高湿環境下にある場合には、当初想定される正常動作期間を短縮するといった予測結果を出すことが考えられる。また、サイズが大きい場合で使用頻度が高い調光フィルムである場合には、より高い駆動電圧を継続して印加し続けなければならない。そのため、他の標準タイプよりも正常動作期間を短縮するという予測結果を出すことが考えられる。つまり、予測システム１１１は自身が予め学習した調光フィルムの特性、使用条件等に加え常に最新の実使用データ及び開発情報を観測することにより、より適切な判断を可能としている。
【００４２】
管理サーバ１０３は、上記予測システムの判断結果を受け、実使用データを送信してきた調光フィルムの状態を判定する（Ｓ３９）。判定に基づく所定の処理は、通常判定（何もしない）、警告判定（保守）、故障判定（交換）に代表される。仮に正常であると判定した場合（Ｓ３９：Normal）には、そのまま待機状態に戻る。このとき予測システムの判
断結果をログとして残しておくことも可能である（図４参照）。
【００４３】
仮に要警告であると判定した場合（Ｓ３９：Warning）、管理サーバ１０３は、制御部に対して保守フラグを立ち上げるように促す（Ｓ４１）。同時に、ＰＣ１０７や端末１０９にも同様の保守フラグを立てる。これにより、ユーザ、業者双方がメンテナンスの時期であることを認識し、適切な保守点検が可能となる。
【００４４】
仮に故障間近（又は故障）であると判定した場合（Ｓ３９：Error）、管理サーバ１０３は、制御部１２等、ＰＣ１０７、端末１０９に交換フラグを立てる（Ｓ４３）。この際、管理サーバはデータテーブルを参照し、リンクされているＩＤがある場合には、当該リンク先のＩＤが付与された調光フィルムに対しても交換フラグを立てる（Ｓ４５：ＹＥＳ、Ｓ４７）。これにより、他の調光フィルムを逐次チェックせずとも同時期に施工した同条件下にある調光フィルムをまとめて交換することが可能になり、作業効率性が格段に向上する。
【００４５】
以上により、ユーザからの問合せ，クレームを待たず、管理者側でユーザ側の設備機器の状態を正確に把握し、メンテナンスの要否判定も主導的に行ない、ユーザ側への能動的な保守対応を提案出来、客観的なデータ分析に基づいた真に必要なメンテナンスを行なえる様になる。
【００４６】
加えて、設計開発者にとって実使用データはサンプル評価では得られない貴重な検証データとなる。さらには、予測システム１１１を介して得られた保守フラグや交換フラグは、ＡＩが収集された（収集されている）諸データに基いて統計的または演算的に自律的に導出した貴重な情報源でもある。従って、これらの諸情報を設計開発者が参照することにより、次期ロットでの改良目標や改善ポイントを具体化させることが可能になる。設計開発者により蓄積された開発情報を記録する記録手段を有し、判定手段（Ｓ３９）は、その記録手段から読み出した開発情報も利用することができる様に、管理サーバによる処理手順を改良することも望ましい。
【００４７】
以上、本発明に係る調光フィルムの使用状態管理システムの好適な実施形態について説明したが、本発明はかかる例に限定されず、以下に例示する変形例も本発明の主旨を逸脱するものではない。例えば、上記実施形態では、調光システムＰ１は機能性ガラスを２枚有すると説明した。これはあくまでも一例であり、調光システムを構成する機能性窓ガラスは１枚でもよいし、３枚以上であっても良い。
【００４８】
また、上記実施形態では、調光システムＰ１は、複数の機能性ガラスを単一の制御部で統括して制御していると説明した。本発明に係る使用状態管理システムはこれに限定されるものではない。例えば、各調光フィルムに対応する制御部を設けることも可能である。
【００４９】
また、上記実施形態では、管理サーバ１０３と予測システム１１１は別個独立の存在として説明した。これは、各々の処理負担を軽減し処理の高速化を意図したためである。本発明に係る状態管理システムでは、この構成に限定されるものではなく、両者を単一構成にすることも可能である。
【００５０】
また、上記実施形態では、より予測システムによる状態予測の精度を向上させるために開発サーバとリンクさせているがこれに限定される必要はない。例えば、開発が極秘裏に進められる場合には、その秘匿性を重視しリンクを解除あるいは、当初からリンクさせないことも可能である。
【符号の説明】
【００５１】
１０，２０，３０  機能性窓ガラス
１１，２１，３１  調光フィルム
１２，２２        制御部
１３，２３，３３  ＬＥＤ
１４，２４，３４  光検出器（フォトダイオード）
１６，２６，３６  環境センサ
２５              ミラー
１００            使用状態管理システム
１０１            ネットワークサービス
１０３            管理サーバ
１０５            データベース
１０７            ＰＣ
１０９            携帯端末
１１１            予測システム
１１３            開発サーバ
【図１】
2020035301.tif 000003
【図２】
2020035301.tif 000004
【図３】
2020035301.tif 000005
【図４】
2020035301.tif 000006
【図５】
2020035301.tif 000007
【図６】
2020035301.tif 000008